(57)【要約】【課題】通常の注意力をもってしても鍵として認識することが困難な鍵体を提供する。また他の課題としては仮に紛失等した場合であっても、通常の鍵の複製装置では複製することは困難であるが、鍵体作成時の適正なデータを使用すれば、複製可能な鍵体を提供する。また、１の鍵体を携帯することで、複数の施錠装置を施錠あるいは解錠することができることができ、複数の異なる鍵を携帯する必要のない鍵体及びそれを使用する施錠装置を提供する。【解決手段】立体的形状を有する光の透過部材の内部にレーザー加工によって、形成された像を有する鍵体。【選択図】          図１
2013155530.tif 000002
【特許請求の範囲】
【請求項１】
立体的形状を有する光の透過部材の内部にレーザー加工によって、形成された像を有することを特徴とする鍵体。
【請求項２】
立体的形状を有する光の透過部材の内部にレーザー加工にて形成された像を有する鍵体に光を照射し、その照射された光の反射光を認識手段で認識することで、前記認識手段においてあらかじめ登録された前記鍵体にける像と一致した場合に、施錠あるいは解錠を行うことを特徴とする施錠装置。
【請求項３】
鍵体の形状を多面体とし、そのうちの１の面に光を照射し、その照射された光の反射光を認識手段で認識することで、前記認識手段においてあらかじめ登録された像と一致した場合に、鍵の施錠あるいは解錠を行うことを特徴とする請求項２記載の施錠装置。
【発明の詳細な説明】
【技術分野】
【０００１】
本発明は、ガラスあるいはアクリル等の透明な光が透過する合成樹脂等にレーザー光を用いて、前記樹脂等の内部において白濁した微細な傷をつけ、それらを集合させ、立体的な画像が形成された鍵体と、それを使用した施錠装置に関するものである。
【背景技術】
【０００２】
一般に使用されている住宅等の出入り口に設置された施錠装置における鍵体、例えばシリンダー錠に使用される鍵は、通常、鍵としか認識されないものであるので、仮に紛失、盗難にあったときは、それを不正に使用される場合がある。これを防ぐためには、紛失、あるいは盗難にあったときにその拾得者が鍵として認識することが困難であれば、それを鍵として不正に使用される可能性は低いものである。また、従来の鍵は複製が容易であり、一般的な合鍵の作成機等を使用すれば容易に合鍵を製作することができる。
【０００３】
さらに、従来の鍵の形状では、１の形状から１の認識しかできないために、各施錠装置において、施錠あるは解除を行うためには、その各施錠装置に応じた鍵をそれぞれ携帯する必要がある。従って、施錠装置の数が増えるに従いその数に応じた鍵を携帯しなければならず極めて不利不便である。
【０００４】
この場合、鍵を一つにし、その鍵を各施錠装置において共通に使用することもできる。たとえば、住宅であれば、玄関の鍵と裏口の鍵について同じ鍵を使用することができる。しかし、この鍵を紛失した場合においてその鍵の拾得者は、住宅の玄関と裏口の各施錠装置のすべてを解錠することができ、防犯上問題がある。
【０００５】
特開２００４-３５３１９３号において、被識別キーについて記載されており、その特徴は複製できない鍵の成形方法が記載されている。すなわち、当該形成方法は、まず、反射材及び遮蔽材を、透明部材がゲル状等の状態で混入し攪拌する。次に、反射材及び遮蔽材を混入し攪拌させた後、該透明部材を型に流し込み、硬化させる。このとき、反射材及び遮蔽材は、ランダムに透明部材に混入され、攪拌されており、それによって成形されるキーは偶然に左右されるために二つとして同じものとならないものである。従って、この鍵の本来の持ち主も複製できないために、当該鍵を紛失した場合は施錠装置の解錠ができない可能性がある。
【０００６】
【特許文献１】特開２００４-３５３１９３号公報
【発明の開示】
【発明が解決しようとする課題】
【０００７】
本発明は前記の点に着目してなされたもので、本発明が解決しようとする課題は、通常の注意力をもってしても鍵として認識することが困難な鍵体を提供することである。また他の課題としては仮に紛失等した場合であっても、通常の鍵の複製装置では複製することは困難であるが、鍵体作成時の適正なデータを使用すれば、複製可能な鍵体を提供することである。また、多面体である鍵体の内部に形成された1の像を、当該鍵体のそれぞれの面を通して異なる像として認識される当該像を、それぞれに異なる像として登録し認識させることによって、それぞれの面を通して認識される像ごとに異なる鍵として使用することができるので、１の鍵体を携帯することで、複数の施錠装置を施錠あるいは解錠することができることができ、複数の異なる鍵を携帯する必要のない鍵体及びそれを使用する施錠装置を提供するものである。
【課題を解決するための手段】
【０００８】
前記の課題を解決するため、本発明は、立体的形状を有する光の透過部材の内部にレーザー加工によって、形成された像を有する鍵体である。
【０００９】
本発明に係る鍵体はクリスタルガラスあるいはアクリル等の樹脂等で構成されている。このようなものはアクセサリー類あるいは、置物、キーホルダー類に使用されており、通常の注意力では鍵とは認識されにくいものである。従って、仮に紛失あるいは盗難されたとしても、鍵として認識されにくいものであるから施錠装置を解除するために不正に使用される可能性は低い。
【００１０】
鍵体は、上記の通り透明あるいは半透明である光を透過するクリスタルガラス類あるいはアクリル類の合成樹脂で構成されおり、像は前記鍵体の内部に形成され、その形成手段はレーザー光を照射することで、当該鍵体内部において立体的な像を形成する。すなわち、レーザー光を照射すると、前記鍵体の内部においてクラックが発生する。このクラックは微細の点であり、その点の集合体で、像が形成されるのである。なお、その像を形成するためにはあらかじめ詳細なデータが必要とされる。従って、仮に盗難があった場合本来の持ち主と同一人であるとの照合を行えば、そのデータに基づいて鍵体を複製することができる。
【００１１】
前記の課題を解決するため、本発明は、また、立体的形状を有する光の透過部材の内部にレーザー加工にて形成された像を有する鍵体に光を照射し、その照射された光の反射光を認識手段で認識することで、前記認識手段において、あらかじめ登録された前記鍵体における像と一致した場合に、施錠あるいは解錠を行うというものである。
【００１２】
前記鍵体の形状を多面体とし、各面の１に光を照射し、その照射された光の反射光を認識手段で認識することで、前記認識手段においてあらかじめ登録された前記像と一致した場合に、鍵の施錠あるいは解錠を行うというものである。従って、鍵体が多面体であれば、各面ごとに１つの鍵としての機能を有するために、多面体の数に応じた複数の施錠装置について、１の鍵体で対応することができる。
【００１３】
鍵体を多面体の形状にした場合、多面体のうちの１の面に光を照射して、反射した光によって、鍵体内部の像を認識することができるが、この像については非対称の立体的形状であれば、１の面を通して照射した光が反射して認識できる像の形状と、他の面を通して照射した光が反射して認識できる像の形状は異なるものである。従って、各面ごとに別々の鍵として認識させることにより複数の異なる鍵体として使用することができ、その鍵体一つを携帯すれば複数の鍵を携帯する必要がなくなる。
【発明の効果】
【００１４】
本発明は、以上の如く構成されるため、通常の注意力をもってしても鍵として認識することが困難なものを鍵体として提供することができる。また仮に紛失等した場合であっても、鍵の複製装置では複製することは困難であるが、適正データを使用すれば、複製可能な鍵体を提供することができる。また、１の鍵体を複数認識させることによってそれぞれ異なる鍵として認識をすることができ、施錠装置ごとに異なる鍵体を携帯する必要のない鍵体及び施錠装置を提供することができる。
【発明を実施するための最良の形態】
【００１５】
図１は鍵体の斜視図である。図２のＡは施錠装置の概念図である。Ｂは施錠装置における他の認識装置の概念図である。Ｃは住宅に使用する認識装置に概念図である。図３の（１）は、像１０ａの正面図である。（２）は、像１０ｂの正面図である。（３）は、像１０ｃの正面図である。（４）は、像１０ｄの正面図である。（５）は、像１０ｅの正面図である。（６）は、像１０ｆの正面図である。図４のＡは円筒形の鍵体の斜視図である。Ｂは、ＩＶ−ＩＶ線の位置に光を照射して得られたデータの概念図である。図５はレーザー加工機の概念図である。図６のＡは認識装置の概念図である。Ｂは認識装置の内部構造の概念図である。Ｃは発光装置と３Ｄ形状認識センサカメラの概念図である。図７は鍵体の登録用フローチャートである。図８は、高セキュリティ認証用のフローチャートである。図９は、イベント認証用のフローチャートである。
【００１６】
本発明は、鍵体１０と、それを認識する認識装置２０とロック機構３０からなる施錠装置５０である。認識装置２０は、ＰＣ４０（パーソナルコンピューター）と有線４５あるいは無線とを問わず接続されている。尚、認識装置２０とロック機構３０は、一体であっても好ましくまた、有線あるいは無線とを問わず接続しそれらを別体にしてもよい。鍵体１０については、クリスタルガラスあるいはアクリル類の合成樹脂で形成され、光を通すものである。レーザー加工機１５においてレーザー光１７を前記鍵体１０に照射すると、その鍵体１０の内部の焦点位置に微細なクラック１６を形成させる。その微細なクラック１６は、クリスタルガラスあるいはアクリル類の合成樹脂の内部に、微細な白濁した点を形成し、その白濁した点の集合体で立体的な像１１を結像させるものである。ここでその鍵体１０として使用するものはクリスタルガラスのみならずアクリル等の樹脂等の透過体が好ましく、また、その内部に傷あるいは不純物が混入していないものを用いることが好ましい。前記透過体を鍵体１０として使用した場合に読み取り時におけるエラーの原因となるからである。但し、透過体の内部に傷あるいは不純物が混入しているものを排除するものではない。また、クリスタルガラスのみならずアクリル等の合成樹脂に限られるものではない。
【００１７】
鍵体１０の内部において像１１を形成するためのデータは、例えば市販されている３Ｄソフトを用い、３Ｄデータを用いて例えばＸＹＺ座標上に像１１を形成する。あるいは実物、スケッチ等をスキャナなどの読み取り装置で読み取る。読み取りは後述する認識装置２０を用いることができる。それを、図外のパーソナルコンピューターでデータを作成し、レーザー加工機１５はそのデータに基づき、レーザー光１７を前記クリスタルガラスなどの鍵体１０に照射して加工する。当該加工機１５によるレーザー光１７によってクリスタルガラス類の内部に微細な白濁したクラック１６を形成しそれらの集合によって立体的な像１１を加工することができることは上述したとおりである。尚、これらの方法は公知の方法を用いることができる。
【００１８】
多面体である鍵体１０は、例えば平面部Ａなる部分からレーザー光を当て、鍵体であるクリスタルガラス類の内部に微細な白濁した点を入れようとする当該鍵体１０の内部に焦点を合わせることで、立体化した像１１を作成する。このようにすれば、多面体の平面部Ａにレーザー光を当てることで、屈折を防ぎレーザー光の焦点がずれないようにして像１１を作成することができる。また、鍵体１３の形状が円柱形の場合は、側面部１３ａの周囲が円形であるため、そこからレーザー光を照射しても屈折してレーザー光の焦点がずれてしまうおそれがあるが、鍵体１３の上端部１３ｂあるいは下端部１３ｃは平面であるため、その上端部１３ｂあるいは下端部１３ｃからレーザー光を当てれば、像１４を鍵体１３の内部に作成することができる。一方で、鍵体の形状が球形の場合は、球体の表面に直接レーザー光を照射すると該レーザー光が屈折してしまい、焦点が定まりにくいために、球体の鍵体内部に、像を形成することが困難である。従って、鍵体を構成している樹脂あるいはクリスタルと同じ屈折率の液体内に当該鍵体を入れることで、屈折することなくレーザー光を照射し、球状の鍵体内部に像を形成することができる。尚、このような作成方法は公知の方法を使用することができる（図示せず。）。鍵体の登録については、その外形が直方体等の多面体である鍵体１０の場合に、各面の１に前記光を当てれば、その面において照射された光が像に当たり、その像に当たって反射された光における当該像のデータをＰＣ４０に取り込むことができる。例えば、鍵体１０は６面体であるが、その場合に鍵体１０の平面部Ａから光を照射し反射した光で認識することができる像１０ａと、平面部Ｂから光を照射し反射した光で認識できる像１０ｂとは異なる。従って、像１０ａと像１０ｂとは異なる形状であることから、像１０ａと像１０ｂとをそれぞれ登録すれば、像１０ａと像１０ｂを異なる鍵として使用することができる。さらに同じように像１０ｃ、１０ｄ、１０ｅ、１０ｆを上記と同様に登録しておけば、６面体である鍵体１０は、１０ａ、１０ｂ、１０ｃ、１０ｄ、１０ｅ、１０ｆと６つの鍵としての機能を有するものである。このように、鍵体が多面体であることにより各面ごとに、それぞれ鍵体内部に形成された像のデータを登録装置と接続されているＰＣ４０に取り込むことができる。尚、鍵体は６面体であることには限られることはない。
【００１９】
上記のようにＰＣ４０に取り込んだ鍵体１０における像１０ａ、１０ｂ、１０ｃ、１０ｄ、１０ｅ、１０ｆのデータを登録した後に上記像１０ａ、１０ｂ、１０ｃ、１０ｄ、１０ｅ、１０ｆのデータのうちいずれか１つ以上を認識用のデータとする。その方法として、例えば、メッシュ生成技術を用いて、認識画像とする方法、あるいは、ＣＡＤ，ＣＡＥ等を用いて認識画像とする方法、あるいは写真画像をデータ化し認識画像とする方法、あるいは３Ｄ画像を用いて形状を一致させ認証する方法がとられるが、これらの技術はすでに公知である。またこのように認識用のデータは鍵体を新規に登録する際のデータとしても使用することができる。尚、ＰＣ４０は、一般に市販されているものを使用することができることは云うまでもない。また、このように認識したデータを、例えばＪＰＧ画像に変換し登録することもできる。なお、鍵体を登録する登録装置は後述する認識装置２０を使用することができる。尚、鍵体１０は、持ち運びするために、好ましくは、底辺が２センチメートル角で高さが４センチメ―トル程度が好ましいがこれに限られるものでないことは云うまでもない。
【００２０】
円柱形状を呈する鍵体１３の場合は鍵体を回転させその鍵体１３の内部に像１４の全体像を取り込むことができる。このように鍵体の形状が円柱形状である場合は、像が対称でない場合は光を照射した位置によって認識される当該像の形状が異なるために、予め鍵体に位置決め手段を形成し、前記手段によって位置決めされたある一定の位置から、光が照射できるようにすることができる。また、像１４が回転対称である場合は、側面部１３ａの周囲が円形部分の外側から照射された光が反射して認識された像１４の形状は同一であるために、１つの鍵としての機能を有するものである。
【００２１】
認識装置２０については例えば、市販されている３Ｄ形状認識センサカメラ２８を使用することができる。この認識装置２０においても光を用いて、鍵体１０の内部の像を読み取る。具体的には、この認識装置２０は箱型状を呈しその内部には光の発光体２１を上下動する上下動機構２２が配置される。その構造は左右のスクリュウ部２３、２４をその上部に配置されているモーター２５でベルト２６を介して駆動させ、これを正逆回転させることでレール２７、２７に沿って上下動するという構成を取ることができる（図６Ｂ参照）。
【００２２】
このような構造の前記認識装置２０において、光の発行体２１を上下動させ光を鍵体に照射する。鍵体に照射された光は鍵体の内部に形成された像に当たり、反射した光を前記３Ｄ形状認識センサカメラ２８で写し、そのデータをＰＣ４０に送り登録する。すでに述べたとおり発光体２１は、レール２６に沿って上下動するので像の全体を写すことができる。尚、発行体２１はレーザー光を発生する場合も含まれる。
【００２３】
なお、多面体である鍵体１０の場合は、鍵体１０における１の面Ａを認識装置２０におけるスモーククリア板２９に押しつけて位置決めする。そのようにすれは、多面体である鍵体１０の１の面Ａからの像１０ａの位置について、スモーククリア板２９からの前記像の位置がほぼ一致するので、同じ鍵体１０であれば、同じ像１０ａを認識することができるからである。尚、鍵体を認識する際に鍵体内部の像以外のものを認識した場合においてはあらかじめ認識する範囲を定めておくことで、鍵体内部の像以外のものを排除することができる。また、円柱状の鍵体１３の場合は、底面１３ｃを認識装置２０におけるスモーククリア板２９に押しつけて位置決めする。そのようにすれは、円柱状の鍵体１３の底面１３ｃからの像（図示せず）の位置について、スモーククリア板２９からの前記像の位置がほぼ一致するので、同じ鍵体１３であれば、同じ像を認識することができるからである。尚、鍵体１０及び鍵体１３とも任意の位置に、ストラップ（ひも状のもの）を通すものを配置することができる（図示せず）。
【００２４】
また、鍵体１０における像を認証する場合に、認識装置２０における読み取りの解像度を変動させることで、重要な住宅や金庫、ＡＴＭの認証などに使用できる。すなわち解像度を上げれば、微細な差異も読み取ることができ、わずかな相違で鍵体の真贋を認識することができる。従って、上記のように簡単に解錠されないようにする必要がある場所に使用することができる。
【００２５】
一方で、鍵体１０における像１１を認証する場合に、認識装置における読み取りする際の解像度を低くすれば１度しか使用されないイベントやレジャー施設等において、簡易な認証とすることが可能である。その場合鍵体の像を形成する際のデータについても解像度の低いものを使用することができるので、その鍵体の複製についても比較的容易であり、同一物を多量にしかも安価に作成することが容易となる。また、１つの認証内容で複数人が行き来できる様に設定することで、イベント等における入場処理を迅速化することができる。尚、認識装置２０′における解像度は主に、当該認識装置２０′に依存し、その認識装置２０′の解像度を上記目的に応じて変更することで対応することができる。また、１方向に光２２′を照射することができる。
【００２６】
図７は鍵体を登録するための処理のフローチャートであり、ステップ７−１は、鍵体の面を確認する。ステップ７−２において、鍵体を認識装置あるいは登録装置にセットする。ステップ７−３において、ＰＣにおいて鍵体が登録されているか、いないかを判断し、未登録でなければステップ７−１２においてエラーが表示され、ステップ７−１に戻る。未登録であれば、ステップ７−４において、さらに読み取りボタンを押す。ステップ７−５において、スキャニング動作（読み取り動作が）開始され、ステップ７−６において読み取り開始位置が確認される。
【００２７】
ステップ７−７において読み込みが開始される。ステップ７−８において、読み込み終了位置が確認される。ステップ７−９において、スキャニングが終了する。ステップ７−１０において、スキャニングした画像をＰＣに登録する。ステップ７−１１において、画像が確実に読取されているかを確認する。このテスト読取実施後に画像が読取されていない場合は、ステップ７−１３でエラーが表示され、ステップ７−１４で再実行が表示され、ステップ７−５に戻る。
【００２８】
テスト読み取りを実施後に画像が読み込まれている場合は、ステップ７−１５で、読取終了ランプが点灯し、ステップ７−１６で登録が完了する。
【００２９】
ここで、ステップ７−５における読取開始位置とは、例えば読み取り装置が作動して鍵体内部に、光を鍵体の上端部から下端部に渡って照射した場合に、鍵体の内部において、光が透過する状態から反射する状態に移行する場合に透過する状態から反射する状態の変化した位置を読取開始位置という。また、ステップ７−８における読取終了位置とは開始位置において読取が開始され、光を鍵体の上端部から下端部に渡って照射した場合に、光が反射する状態から、透過する状態に変化した場合にその位置を、読取終了位置とする。従って上記のように読取位置を確認し、像が読み込まれ、その後読取終了位置を確認して読取が終了する。ここで、光が透過する状態から反射する状態に移行する場合とは、上述のとおりその微細なクラックは、クリスタルガラスの内部に、微細な白濁した点を形成し、その白濁した点の集合体で立体的な像１１を結像させるものである。従って像が透明体内部で形成されたクラックであるために白濁した外観を呈し、この白濁した像に光が差し掛かると該光が透過する状態から反射する状態に移行するのである。
【００３０】
また、鍵体が多面体である場合は１面ごとに上記動作を繰り返すことで鍵体の面の数だけ、鍵としての登録をすることができる。
【００３１】
図８は多面体である鍵体における像を認識するためのフローチャートであり、ステップ８−１で多面体である鍵体の面を確認し、認識装置に当該面が密着するようにセットする。ステップ８−２において、多面体である鍵体の前記面に光を照射する。ステップ８−３において、読み取られた前記像がＰＣに登録している像と一致するか否かを判断し、ステップ８−４において、一致していると判断された場合は、ステップ８−５で点灯装置が点滅あるいはブザーが鳴る。ステップ８−８で認証が終了する。またステップ８−６において一致していないと判断された場合は、ステップ８−７で点灯装置が点滅あるいはブザーが鳴る。その後ステップ８−８で認証が終了する。また、鍵体が多面体である場合であって、鍵体の面の数ごとに、鍵として登録する場合は、上記動作を繰り返すことができる。
【００３２】
図９は、イベントやレジャー施設等において簡易な認証システムのフローチャートである。ステップ９−１で認識装置に鍵体を通過させる。ステップ９−２において、鍵体に光を照射する。ステップ９−３において、読み取られた前記像がＰＣに登録している低解像度の像と一致するか否かを判断し、ステップ９−４において、一致していると判断された場合は、ステップ９−５で点灯装置が点滅あるいはブザーが鳴る。ステップ９−８で認証が終了する。またステップ９−６において一致していないと判断された場合は、ステップ９−７で点灯装置が点滅あるいはブザーが鳴る。ステップ９−８で認証が終了する。尚、鍵体に照射する光をレーザー光にすることもできる。
【００３３】
ここで、例えば、簡易な認証システムに使用される認識装置２０′の概念図は図２Ｂのような認識装置である。また、簡易な認証システムにおけるステップ９−３において、読み取られた前記像がＰＣ４０に登録している像と一致するか否かを判断するが、すでに述べたように、あらかじめ登録された像を低解像度とすることで、簡易な認証システムで認証することができる。なお、ステップ９−３においてＰＣ４０に登録している像の一部と一致するとすることもできる。例えば円柱形状の鍵体１３において、予め立体的な像１４全体を登録していた場合において鍵体１３のある一定の位置（たとえば、図４ＡにおけるＩＶ−ＩＶ線）のみをスキャニングして得たデータ１４Ａ（図４Ｂ）とあらかじめ登録している画像１４の当該部分のデータとが一致するかということであり、かならずしも、鍵体１３の像１４の全体形状そのものと一致することまでは必要とされない。従って後述するイベント会場における比較的セキュリティレベルの低い場所に適用することができ、処理速度をも上げることが可能となる。もっともセキュリティレベルを低くする方法はこれに限られないことは云うまでもない。
【００３４】
図２Ｂは、イベント会場における入口にロック装置に使用される認識装置２０′であることはすでに述べたとおりである。これに鍵体をセットすると、上述の通り、認識のための光２２′が照射され、鍵体内部に有する像が認識される。あらかじめＰＣ内に登録された鍵体の像におけるデータと前記認識された像のデータが一致すると、その信号がロック装置３０に送られ当該ロック装置３０が開き通過することができる。この際、公知の通過センサを用いて、鍵体を所持した人が通過するたびに開いたゲートが閉まるように設定されている。従って次の人も鍵体を認識装置２０′にセットして上記の動作を繰り返し多数の入場処理を行うことができる。このようにロック装置３０自体は公知のものを使用することができる。
【００３５】
図２Ｃは、住宅に使用する認識装置２０″である。認識装置２０″に鍵体をセットすると、認識のための光が照射され、あらかじめＰＣ内に登録された鍵体のデータを一致すると、その信号がロック装置３０″に送られ当該ロック装置３０″が解錠されドア２０ｂを開くことができる。尚、鍵体に照射する光をレーザー光にすることもできる。
【００３６】
また、鍵体をレーザー加工する際に使用したデータそのものを認識データとして識別装置に登録しておくこともできる。この場合鍵体を読み取る際の誤差あるいはエラーを減らすことができる。また、そのデータで鍵体を複製することもできる。すなわち、鍵体の内部に立体像を加工する場合、コンピューターに取り込まれたデータに基づいてレーザー加工機が、クリスタルガラスあるいはアクリル類の合成樹脂の透過体の内部に像を形成する。この像はクラック等の白濁した点の集合体によって作成され、同一のデータを使用することでほぼ同じ鍵体を複数作成することが可能となる。
【００３７】
そのように形成された像は立体的であり、上述の通り、鍵体の外形が多面体であれば、１つの認証データで形成された鍵体内部の立体像において上下左右が非対称のものである場合、ある１つの面のみから認識される立体像の１面のデータと他の１つの面のみから認識される立体像のデータとが異なり、その面の数だけ異なる像の認証が可能となり、１つの鍵体で、その鍵体の外形が多面体である場合にその面の数に応じた複数の認証が可能になる。そのような場合、各面で認識される像を別々の認識装置によるロック装置の施錠あるいは解錠に用いることができるので、１の鍵体を持てば複数の施錠装置の解除等ができる。従って、ある１つの施錠装置において、あらかじめ登録されたデータの一部が仮に外部に流失した場合であっても他の施錠装置を解錠することができない。
【００３８】
また、住宅に使用する場合には玄関と裏口の鍵を別々にしたい場合は鍵を複数個持つ必要があったが、１つの鍵体を携帯することで、その１つの鍵体の異なる面ごとに別の鍵体として使用することが可能となるので、玄関と裏口とを１の鍵体で施錠または解錠することが可能となり、異なる鍵体を複数携帯していることと同様の効果を有する。さらに車のキーとしてエンジンスタートやドア、ハッチバックと１つの鍵体で別々の部分の鍵体の施錠または解錠が可能となる。また、多面体である鍵体の１の面を通して認識される１の像の合致だけでは解錠させず、当該鍵体のすべての面を通して認識されるそれぞれの像が、あらかじめ登録されている場合に、その登録されたすべての像と合致する場合にだけ施錠あるいは解錠することで、セキュリティのレベルを上げるような設定が可能となる。例えば６面体であれば６面それぞれを通して得られる６つの像のデータすべてが一致している場合である。又、その鍵体をクレジットカード類における暗証番号の代わりに使用すれば、１つの物体でその面ごとに違う認証を持たせることで、クレジットカード類を複数枚持つ必要が無くなり、その所有数を減らせる事も可能となる。
【００３９】
また、鍵体１０あるいは鍵体１３はもともとアクセサリー類、キーホルダーあるいは置物として使用することができるものであるので、イベント終了後にその鍵体を記念品として持ち帰らせることが可能となり、その後の廃棄が減り環境保全にも役立つものである。
【００４０】
なお、青色ＬＥＤで鍵体を照らすことで鍵体内の像を浮かび上がらせるような効果を奏することができる。また、レーザー光に照らすことで鍵体内の像を浮かび上がらせるという目視効果を得ることもできる。これらはキーホルダーに使用することが好ましい。
【００４１】
なお鍵体の製作は、一般の鍵の複製機では複製ができず、同じデータ、同じ機器、同じ材料がそろって初めて複製が可能となる。従って、第三者がその鍵体を複製することが困難となる。
【００４２】
ＡＴＭやＰＣの指紋認証や手のひら認証と同様に新たな認証形式が可能となる。また、車や住宅、倉庫等の鍵としての役割も可能とし複数個所の施錠解錠にも活用できる。さらに、イベントやレジャー施設等にも活用することができる。また、鍵体が記念品として活用できるために、従来の紙でできたチケットを廃棄する必要がなくなり、また、認証させる像が文字や画像となるため、例えばイベントのロゴ等を像として形成すれば、それが宣伝媒体ともなり得る。また、上述の通り、鍵体を複製する場合において、機器と物質や精度、元となるデータが必要となるため、安易には複製出来ないことから、セキュリティの厳重さが必要とされる場所に使用することができる。
【図面の簡単な説明】
【００４３】
【図１】鍵体の斜視図
【図２】Ａは施錠装置の概念図。Ｂは施錠装置における他の認識装置の概念図、Ｃは住宅に使用する認識装置に概念図。
【図３】（１）は、像１０ａの正面図。（２）は、像１０ｂの正面図。（３）は、像１０ｃの正面図。（４）は、像１０ｄの正面図。（５）は、像１０ｅの正面図。（６）は、像１０ｆの正面図。
【図４】Ａは円筒形の鍵体の斜視図。Ｂは、ＩＶ−ＩＶ線の位置に光を照射して得られたデータの概念図。
【図５】レーザー加工機の概念図
【図６】Ａは認識装置の概念図、Ｂは認識装置の内部構造の概念図。Ｃは発光装置と３Ｄ形状認識センサカメラの概念図。
【図７】鍵体の登録用フローチャート
【図８】高セキュリティ認証用フローチャート
【図９】イベント認証用フローチャート
【符号の説明】
【００４４】
１０  鍵体      
１１  像
１３  円柱形状の鍵体
１４  像
１５  レーザー加工機
２０  認識装置
３０  ロック装置
４０  パーソナルコンピューター
５０  施錠装置
【図１】
2013155530.tif 000003
【図２】
2013155530.tif 000004
【図３】
2013155530.tif 000005
【図４】
2013155530.tif 000006
【図５】
2013155530.tif 000007
【図６】
2013155530.tif 000008
【図７】
2013155530.tif 000009
【図８】
2013155530.tif 000010
【図９】
2013155530.tif 000011